(57)【要約】      （修正有）【課題】前面の表示領域を有効に利用することができると共に、陳列したときに、前面の表示領域に施されたデザインや表示が見やすい物品包装体を提供する。【解決手段】胴部１２の上端にフランジ部１３が連設された扁平のカップ状容器１１に液体洗浄剤を充填した状態で、フランジ部１３の上面にフィルム１４を剥離可能に貼着することによって密封した物品１０と、物品１０を保持する台紙２０とから構成されており、物品１０は、主表示面であるフィルム１４の表面に商品名やデザイン表示等が施されている。台紙２０は、吊下孔２６及び嵌合穴２７が形成された起立板２１と、この起立板２１の下部から後方側に張り出した脚部２０Ａとを備えており、物品１０は、カップ状容器１１の胴部１２を起立板２１の前面側から嵌合穴２７に嵌め込むと共に、カップ状容器１１の胴部１２を脚部２０Ａの切欠部に部分的に嵌め込むことによって、台紙２０に保持されている。【選択図】図２
2014061931.tif 000002
【特許請求の範囲】
【請求項１】
脚部を有する台紙と、
前記台紙の後面側に保持された物品と
を備え、
前記物品は、その主表示面が前方を向くように配置されており、
前記台紙には、前記物品の主表示面の少なくとも一部を前方から視認することができる開口が形成されていることを特徴とする物品包装体。
【請求項２】
前記物品の主表示面の全面が視認できるようになっている請求項１に記載の物品包装体。
【請求項３】
前記物品は、上端に外フランジ部が連設された胴部を有し、
前記台紙の開口に、前方側から前記物品の胴部が嵌合されている請求項２に記載の物品包装体。
【請求項４】
前記台紙は、前記フランジ部が係止される係止部を有している請求項３に記載の物品包装体。
【請求項５】
前記台紙は、物品が保持される起立板と、この起立板の下端部から後方側に張り出す脚部とを有している請求項１、２、３または４に記載の物品包装体。
【請求項６】
前記係止部は、前記脚部に一体的に形成されている請求項４または５に記載の物品包装体。
【請求項７】
前記台紙が後方側に傾斜している請求項１、２、３、４、５または６に記載の物品包装体。
【請求項８】
前記台紙は、吊下手段を有している請求項１、２、３、４、５、６または７に記載の物品包装体。
【発明の詳細な説明】
【技術分野】
【０００１】
この発明は、物品を台紙に保持した物品包装体、特に、陳列したときに物品の主表示面が視認されやすい物品包装体に関する。
【背景技術】
【０００２】
この種の物品包装体としては、例えば、図３０に示すようなものがある。この物品包装体５０は、同図に示すように、上端部に吊り下げ孔５２が形成された台紙５１の下端部を角筒状に折り曲げて台紙５１の下部に接着固定することによって、台紙５１の前面側に張り出す物品の載置台５３を形成し、この載置台５３に物品Ｇを載置した状態で、物品Ｇの裏面側を台紙５１の前面に接着剤５４を用いて貼着することで、物品Ｇを台紙に保持するようになっており、店頭では、陳列棚等に配設された吊下棒に台紙５１を吊り下げた状態で、陳列するようになっている。
【先行技術文献】
【特許文献】
【０００３】
【特許文献１】特開平１１−１０５９２１号公報
【発明の概要】
【発明が解決しようとする課題】
【０００４】
しかしながら、上述したような物品包装体５０は、台紙５１の前面側の下部に物品Ｇが保持されているため、全体の重心が台紙より前方側に位置することになるので、吊下棒に吊り下げた状態では、物品Ｇが保持されている台紙５１の下部が吊り下げ位置よりも後方側に移動して、台紙５１の上部が前下がりの状態になり、物品の前面や台紙の前面に施したデザインや表示が見にくいといった問題がある。
【０００５】
また、物品Ｇが台紙５１の前面より前方側に飛び出しているので、台紙５１の前面と物品Ｇの前面とに一体的にデザイン表示を施すことができず、台紙５１や物品Ｇの表示領域を有効に利用することができないといった問題もある。
【０００６】
そこで、この発明の課題は、前面の表示領域を有効に利用することができると共に、陳列したときに、前面の表示領域に施されたデザインや表示が見やすい物品包装体を提供することにある。
【課題を解決するための手段】
【０００７】
上記の課題を解決するため、請求項１に係る発明は、脚部を有する台紙と、前記台紙の後面側に保持された物品とを備え、前記物品は、その主表示面が前方を向くように配置されており、前記台紙には、前記物品の主表示面の少なくとも一部を前方から視認することができる開口が形成されていることを特徴とする物品包装体を提供するものである。
【０００８】
また、請求項２に係る発明は、請求項１に係る発明の物品包装体において、前記物品の主表示面の全面が視認できるようになっていることを特徴としている。
【０００９】
また、請求項３に係る発明は、請求項２に係る発明の物品包装体において、前記物品は、上端に外フランジ部が連設された胴部を有し、前記台紙の開口に、前方側から前記物品の胴部が嵌合されていることを特徴としている。
【００１０】
また、請求項４に係る発明は、請求項３に係る発明の物品包装体において、前記台紙は、前記フランジ部が係止される係止部を有していることを特徴としている。
【００１１】
また、請求項５に係る発明は、請求項１、２、３または４に係る発明の物品包装体において、前記台紙は、前記物品が保持される起立板と、この起立板の下端部から後方側に張り出す脚部とを有していることを特徴としている。
【００１２】
また、請求項６に係る発明は、請求項４または５に係る発明の物品包装体において、前記係止部は、前記脚部に一体的に形成されていることを特徴としている。
【００１３】
また、請求項７に係る発明は、請求項１、２、３、４、５または６に係る発明の物品包装体において、前記台紙が後方側に傾斜していることを特徴としている。
【００１４】
また、請求項８に係る発明は、請求項１、２、３、４、５、６または７に係る発明の物品包装体において、前記台紙は、吊下手段を有していることを特徴としている。
【発明の効果】
【００１５】
以上のように、請求項１に係る発明の物品包装体は、脚部を有する台紙の後面側に物品が保持されており、しかも、物品は、その主表示面が前方を向くように配置されていると共に、台紙には、物品の主表示面の少なくとも一部を前方から視認することができる開口が形成されているので、台紙の前面側の下部に物品が保持されている従来の物品包装体のように、陳列したときに台紙が前傾状態とはならず、物品の主表示面や台紙の前面に施したデザインや表示が見やすいという効果がある。
【００１６】
また、この物品包装体は、物品が台紙の前面側に飛び出していないので、台紙の前面と物品の主表示面とに一体的にデザイン表示を施すことができ、台紙や物品の表示領域を有効に利用することができる。
【００１７】
また、請求項２に係る発明の物品包装体は、物品の主表示面の全面が視認できるようになっているので、物品が台紙の後面側に保持されているにもかかわらず、物品の展示効果が減殺されることがない。
【００１８】
また、請求項３に係る発明の物品包装体は、物品が、上端に外フランジ部が連設された胴部を有し、台紙の開口に、前方側から物品の胴部が嵌合されているので、物品を台紙に保持するために接着剤等の特別な保持手段が不要となる。
【００１９】
また、請求項４に係る発明の物品包装体は、台紙は、物品のフランジ部が係止される係止部を有しているので、台紙に対する物品の保持性能が向上する。
【００２０】
また、請求項５に係る発明の物品包装体は、台紙が、物品が保持される起立板と、この起立板の下端部から後方側に張り出す脚部とを有しているので、起立安定性が向上する。
【００２１】
また、請求項６に係る発明の物品包装体は、係止部が、脚部に一体的に形成されているので、別部材によって係止部を形成する必要がなく、製造しやすいという効果がある。
【００２２】
また、請求項７に係る発明の物品包装体は、前記台紙が後方側に傾斜しているので、物品の主表示面や台紙の前面に施したデザインや表示がさらに見やすくなる。
【００２３】
また、請求項８に係る発明の物品包装体は、台紙が、吊下手段を有しているので、陳列する際、起立させるだけでなく、吊り下げることも可能になり、陳列態様の自由度が広がるという効果がある。
【図面の簡単な説明】
【００２４】
【図１】この発明に係る物品包装体の一実施形態を示す斜視図である。
【図２】（ａ）は同上の物品包装体を示す正面図、（ｂ）は同上の物品包装体を示す側面図、（ｃ）は同上の物品包装体を示す背面図である。
【図３】（ａ）は同上の物品包装体を構成している物品を示す平面図、（ｂ）は同上の物品を示す側面図である。
【図４】同上の物品包装体を構成している台紙を形成するためのブランクを示す平面図である。
【図５】他の実施形態である物品包装体を示す斜視図である。
【図６】（ａ）は同上の物品包装体を示す正面図、（ｂ）は同上の物品包装体を示す側面図、（ｃ）は同上の物品包装体を示す背面図である。
【図７】同上の物品包装体を構成している台紙を形成するためのブランクを示す平面図である。
【図８】他の実施形態である物品包装体を示す斜視図である。
【図９】（ａ）は同上の物品包装体を示す正面図、（ｂ）は同上の物品包装体を示す側面図、（ｃ）は同上の物品包装体を示す背面図である。
【図１０】同上の物品包装体を構成している台紙を形成するためのブランクを示す平面図である。
【図１１】他の実施形態である物品包装体を示す斜視図である。
【図１２】（ａ）は同上の物品包装体を示す正面図、（ｂ）は同上の物品包装体を示す側面図、（ｃ）は同上の物品包装体を示す背面図である。
【図１３】同上の物品包装体を構成している台紙を形成するためのブランクを示す平面図である。
【図１４】他の実施形態である物品包装体を示す斜視図である。
【図１５】（ａ）は同上の物品包装体を示す正面図、（ｂ）は同上の物品包装体を示す側面図、（ｃ）は同上の物品包装体を示す背面図である。
【図１６】同上の物品包装体を構成している台紙を形成するためのブランクを示す平面図である。
【図１７】他の実施形態である物品包装体を示す斜視図である。
【図１８】（ａ）は同上の物品包装体を示す正面図、（ｂ）は同上の物品包装体を示す側面図、（ｃ）は同上の物品包装体を示す背面図である。
【図１９】同上の物品包装体を構成している台紙を形成するためのブランクを示す平面図である。
【図２０】（ａ）は他の実施形態である物品包装体を示す正面図、（ｂ）は同上の物品包装体を示す側面図、（ｃ）は同上の物品包装体を示す背面図である。
【図２１】（ａ）は他の実施形態である物品包装体を示す正面図、（ｂ）は同上の物品包装体を示す側面図、（ｃ）は同上の物品包装体を示す背面図である。
【図２２】同上の物品包装体を構成している台紙を形成するためのブランクを示す平面図である。
【図２３】（ａ）は他の実施形態である物品包装体を示す正面図、（ｂ）は同上の物品包装体を示す側面図、（ｃ）は同上の物品包装体を示す背面図である。
【図２４】同上の物品包装体を構成している台紙を形成するためのブランクを示す平面図である。
【図２５】（ａ）は他の実施形態である物品包装体を示す正面図、（ｂ）は同上の物品包装体を示す側面図、（ｃ）は同上の物品包装体を示す背面図である。
【図２６】同上の物品包装体を構成している台紙を形成するためのブランクを示す平面図である。
【図２７】（ａ）は他の実施形態である物品包装体を示す正面図、（ｂ）は同上の物品包装体を示す側面図、（ｃ）は同上の物品包装体を示す背面図である。
【図２８】（ａ）は他の実施形態である物品包装体を示す正面図、（ｂ）は同上の物品包装体を示す側面図、（ｃ）は同上の物品包装体を示す背面図である。
【図２９】（ａ）は他の実施形態である物品包装体を示す正面図、（ｂ）は同上の物品包装体を示す側面図、（ｃ）は同上の物品包装体を示す背面図である。
【図３０】（ａ）は従来の物品包装体を示す斜視図、（ｂ）は同上の物品包装体を示す側面図である。
【発明を実施するための形態】
【００２５】
以下、実施の形態について図面を参照して説明する。図１及び図２は、本発明の物品包装体１を示している。この物品包装体１は、同図に示すように、物品１０を台紙２０に保持したものであり、台紙２０は、図４に示すように、厚紙からなるブランクＢによって形成されている。なお、以下の説明では、台紙２０は厚紙で形成されているものとして説明するが、例えば、熱可塑性合成樹脂シート、厚紙と熱可塑性合成樹脂シートとのラミネートシート等を使用することも可能である。なお、熱可塑性樹脂シートとしては、ポリエチレンシート、ポリプロピレンシート、ポリエチレンテレフタレートシート、ポリ塩化ビニルシート等を使用することができる。
【００２６】
前記物品１０は、図３（ａ）、（ｂ）に示すように、胴部１２の上端にフランジ部１３が連設された扁平のカップ状容器１１に液体洗浄剤を充填した状態で、フランジ部１３の上面にフィルム１４を剥離可能に貼着することによって密封したものであり、主表示面であるフィルム１４の表面（上面）に商品名やデザイン表示等が施されている。
【００２７】
前記ブランクＢは、図４に示すように、物品１０が保持される起立板２１と、この起立板２１の下端縁に折目線Ｌ１、Ｌ２、Ｌ３を介して順次連設された、脚部底面板２２ａ、脚部後面板２２ｂ及び幅方向の中央部に切欠部２９が形成された脚部上面板２２ｃからなる脚部構成板２２と、この脚部構成板２２（脚部上面板２２ｃ）に折目線Ｌ４、Ｌ４を介して連設された係止片２３と、係止片２３に折目線Ｌ５を介して連設された差込片２４とから構成されており、折目線Ｌ１上には、差込片２４が差し込まれる切目２５が形成されている。
【００２８】
前記起立片２１には、その上端部に吊下孔２６が形成されていると共に、その下半部に、物品１０を構成しているカップ状容器１１の胴部が嵌り込む嵌合穴２７及び係止片２３が挿入されるスリット２８が形成されており、スリット２８は嵌合穴２７の下部から左右両側に張り出している。なお、嵌合穴２７は、カップ状容器１１の胴部１２の最大径以上で、フランジ部１３の外径よりも小さい口径に設定されている。
【００２９】
前記係止片２３は、基端縁の両端部だけが折目線Ｌ４、Ｌ４を介して脚部上面板２２ｃに接続されており、その接続部間における脚部上面板２２ｃとの境界部近傍には、物品１０を構成しているカップ状容器１１のフランジ部１３を係止可能なスリット３０が形成されている。
【００３０】
このブランクＢは、図２（ａ）〜（ｃ）に示すように、折目線Ｌ１、Ｌ２、Ｌ３で脚部構成板２２（脚部底面板２２ａ、脚部後面板２２ｂ及び脚部上面板２２ｃ）を順次折り曲げて係止片２３及び差込片２４をスリット２８に挿入した後、折目線Ｌ４、Ｌ４で係止片２３を下方側に折り曲げ、折目線Ｌ５で折り曲げた差込片２４を切目２５に差し込むことで角筒状の脚部２０Ａが形成され、起立板２１の下部から脚部２０Ａが後方側に張り出した台紙２０が出来上がるようになっており、この台紙２０を起立させた状態では、起立板２１が僅かに後傾した状態に保持されるようになっている（図２（ｂ）参照）。
【００３１】
前記物品１０は、上述したように、カップ状容器１１の胴部１２を起立板２１の前面側から嵌合穴２７に嵌め込んで、フランジ部１３を起立板２１に接触させると共に、カップ状容器１１の胴部１２を脚部２０Ａの切欠部２９に部分的に嵌め込むことによって、台紙２０に保持されるようになっており、フランジ部１３の一部が係止片２３との間に挟み込まれることによって係止されるようになっている。
【００３２】
以上のように、この物品包装体１は、後方側に張り出す脚部２０Ａが連設された起立板２１の後面側に物品１０の大部分が位置する状態で、物品１０が台紙２０に保持されており、しかも、物品１０は、その主表示面であるフィルム１４の表面（上面）が前方を向くように配置されていると共に、台紙２０には、物品１０の主表示面であるフィルム１４の全表面を前方から視認することができるようになっているので、図３０（ａ）、（ｂ）に示す、台紙２０の前面側の下部に物品が保持されている従来の物品包装体のように、陳列したときに起立板２１が前傾状態とはならず、逆に、後方側に僅かに傾斜しているので、物品１０の主表示面や起立板２１の前面に施したデザインや表示が見やすいという効果がある。
【００３３】
また、この物品包装体１は、物品１０が台紙２０（起立板２１）の前面側に飛び出していないので、台紙２０（起立板２１）の前面と物品１０の主表示面（フィルム１４の表面（上面））とに一体的にデザイン表示を施すことができ、台紙２０や物品１０の表示領域を有効に利用することができると共に、物品１０の主表示面の全面が視認できるようになっているので、物品１０のほとんどの部分が起立板２１の後面側に位置しているにもかかわらず、物品１０の展示効果が減殺されることがない。
【００３４】
また、物品１０を構成しているカップ状容器１１の胴部１２を起立板２１に形成された嵌合穴２７に嵌合させることによって、物品１０が台紙２０の起立板２１に保持されるようになっているので、物品１０を台紙２０に保持するために接着剤等の特別な保持手段が不要であり、しかも、カップ状容器１１のフランジ部１３の一部が、起立板２１と係止片２３との間に挟み込まれることによって係止されるようになっているので、物品１０が台紙２０から容易に脱落することもない。特に、係止片２３は、脚部２０Ａを形成する脚部構成板２２に一体的に形成されているので、別部材によって係止部を形成する必要がなく、製造しやすいという効果もある。
【００３５】
また、台紙２０は、物品１０が保持される起立板２１と、この起立板２１の下端部から後方側に張り出す脚部２０Ａとを有しているので、起立安定性に優れており、しかも、起立板２１には、その上端部に吊下孔２６が形成されているので、起立させるだけでなく、吊り下げた状態で陳列することも可能である。
【００３６】
特に、脚部２０Ａには切欠部２９が形成されており、その切欠部２９に物品１０（カップ状容器１１の胴部１２）を部分的に嵌め込むようになっているので、脚部に切欠部を設けない場合に比べて、物品包装体１全体の重心が低くなり、起立安定性が向上すると共に、切欠部２９によってカップ状容器１１の胴部１２の周面及び底面が支持されるので、物品１０が台紙２０から外れにくいという効果がある。
【００３７】
また、物品包装体１全体の起立安定性を考慮すると、台紙２０に保持した物品１０の重心が脚部２０Ａの脚部底面板２２ａ上に位置するように、起立板２１の傾斜角度と脚部２０Ａの後方側への張出長さを設定しておくことが望ましい。
【００３８】
なお、上述した物品包装体１では、係止片２３に連設した差込片２４を、折目線Ｌ１上に形成した切目２５に差し込むことによって、脚部２０Ａを角筒状に保持すると共に物品１０のフランジ部１３が係止される係止部を形成するようになっているが、これに限定されるものではなく、例えば、図７に示すように、折目線Ｌ１上に切目を形成するのではなく、起立板２１ａに形成されたスリット２８の左右両端部の下側に、逆「ハ」の字状に傾斜した短い左右一対の切目２５ａを形成すると共に、左右の切目２５ａに差し込むことができるように、係止片２３ａの下端角部を左右の切目２５ａの外側に張り出させたブランクＢａから組み立てられる、図５及び図６（ａ）〜（ｃ）に示す物品包装体１Ａのように、折目線Ｌ１、Ｌ２、Ｌ３で脚部構成板２２（脚部底面板２２ａ、脚部後面板２２ｂ及び脚部上面板２２ｃ）を順次折り曲げて係止片２３ａをスリット２８に挿入した後、折目線Ｌ４、Ｌ４で係止片２３ａを下方側に折り曲げ、その下端角部を左右一対の切目２５ａに差し込むことで、脚部２０Ａを角筒状に保持するようにしてもよい。
【００３９】
また、上述した物品包装体１では、係止片２３に連設した差込片２４を、折目線Ｌ１上に形成した切目２５に差し込むことによって、脚部２０Ａを角筒状に保持するようになっているが、これに限定されるものではなく、係止片２３に差込片を連設したり、その差込片を差し込むための切目を折目線Ｌ１上に形成したりするのではなく、例えば、図１０に示すように、係止片２３ｂに切目２５ｂを形成しただけのブランクＢｂから組み立てられる、図８及び図９（ａ）〜（ｃ）に示す物品包装体１Ｂのように、折目線Ｌ１、Ｌ２、Ｌ３で脚部構成板２２（脚部底面板２２ａ、脚部後面板２２ｂ及び脚部上面板２２ｃ）を順次折り曲げて係止片２３ｂをスリット２８に挿入した後、折目線Ｌ４、Ｌ４で係止片２３ｂを下方側に折り曲げ、胴部１２を起立板２１の嵌合穴２７に嵌合させることによって起立板２１に保持した物品１０（カップ状容器１１）のフランジ部１３を係止片２３ｂに形成されたスリット３０に差し込んだ後にさらに切目２５ｂに差し込むことによって、フランジ部１３を係止させると共に脚部２０Ａを角筒状に保持するようにしてもよい。
【００４０】
また、係止片２３に差込片を連設したり、その差込片を差し込むための切目を折目線Ｌ１上に形成したりするのではなく、図１３に示すように、係止片２３ｃの張出長さを小さくすると共に折目線Ｌ４、Ｌ４を削除しただけのブランクＢｃから組み立てられる、図１１及び図１２（ａ）〜（ｃ）に示す物品包装体１Ｃのように、折目線Ｌ１、Ｌ２、Ｌ３で脚部構成板２２（脚部底面板２２ａ、脚部後面板２２ｂ及び脚部上面板２２ｃ）を順次折り曲げて係止片２３ｃをスリット２８に挿入した後、胴部１２を起立板２１の嵌合穴２７に嵌合させることによって起立板２１に保持した物品１０（カップ状容器１１）のフランジ部１３を係止片２３ｃに形成されたスリット３０に差し込むことによって、フランジ部１３を係止させると共に脚部２０Ａを角筒状に保持するようにしてもよい。
【００４１】
さらに、図１６に示すように、係止片２３ｄの張出長さを小さくすると共に折目線Ｌ４、Ｌ４を削除するだけでなく、中央部を切除することによって、係止片２３ｄを左右に分断したブランクＢｄから組み立てられる、図１４及び図１５（ａ）〜（ｃ）に示す物品包装体１Ｄのように、折目線Ｌ１、Ｌ２、Ｌ３で脚部構成板２２（脚部底面板２２ａ、脚部後面板２２ｂ及び脚部上面板２２ｃ）を順次折り曲げて分断された左右の係止片２３ｄをスリット２８に挿入した後、胴部１２を起立板２１の嵌合穴２７に嵌合させることによって起立板２１に保持した物品１０（カップ状容器１１）のフランジ部１３を左右の係止片２３ｄに形成されたスリット３０に差し込むことによって、フランジ部１３を係止させると共に脚部２０Ａを角筒状に保持するようにしてもよい。
【００４２】
また、上述した物品包装体１では、胴部１２を起立板２１の嵌合穴２７に嵌合させることによって起立板２１に保持した物品１０（カップ状容器１１）のフランジ部１３を、脚部２０Ａに一体的に形成されている係止部、即ち、脚部構成板２２に連設された係止片２３によって形成されている係止部に係止させるようにしているが、これに限定されるものではなく、例えば、図１７及び図１８（ａ）〜（ｃ）に示す物品包装体１Ｅのように、起立板２１ｅの上端縁に、前面側に折り返し可能に折返板３１を連設し、胴部１２を起立板２１の嵌合穴２７に嵌合させることによって起立板２１ｅに保持した物品１０を、折返板３１によって起立板２１ｅとの間に挟み込むようにしてもよい。
【００４３】
この物品包装体１Ｅは、図１９に示すブランクＢｅから組み立てられ、ブランクＢｅは、同図に示すように、吊下孔２６、嵌合穴２７及び嵌合穴２７の上半部外側に形成された左右一対の切目２５ｅ、２５ｅを有する起立板２１ｅと、この起立板２１ｅの下端縁に折目線Ｌ１、Ｌ２、Ｌ３を介して順次連設された、脚部底面板２２ａ、脚部後面板２２ｂ及び幅方向の中央部に切欠部２９が形成された脚部上面板２２ｃからなる脚部構成板２２と、この脚部構成板２２（脚部上面板２２ｃ）に折目線Ｌ４、Ｌ４を介して連設された、起立板２１の後面に貼着される左右一対の貼着片２３ｅ、２３ｅと、起立板２１ｅの上端縁に、折目線Ｌ６を介して連設された折返板３１とから構成されている。
【００４４】
前記折返板３１には、折り返した時に起立板２１ｅの吊下孔２６に対応する位置に吊下孔３２が形成されており、上端縁（折り返した時の下端縁）の中央部には、折り返した時に嵌合穴２７に対応する位置に円弧状の切欠部３３が、上端縁（折り返した時の下端縁）の両端部には、折り返した時に起立板２１ｅの左右一対の切目２５ｅ、２５ｅに差し込み可能な差込片３４、３４がそれぞれ形成されている。
【００４５】
このブランクＢｅは、図１７及び図１８（ａ）〜（ｃ）に示すように、折目線Ｌ１、Ｌ２、Ｌ３で脚部構成板２２（脚部底面板２２ａ、脚部後面板２２ｂ及び脚部上面板２２ｃ）を順次折り曲げた後、さらに、折目線Ｌ４、Ｌ４で貼着片２３ｅ、２３ｅを折り曲げて起立板２１ｅの後面の下端部に貼着することで角筒状の脚部２０Ａが形成され、起立板２１ｅの下部から脚部２０Ａが後方側に張り出した台紙２０が出来上がるようになっており、カップ状容器１１の胴部１２を起立板２１ｅの嵌合穴２７に嵌合させることによって、物品１０を起立板２１ｅに保持した後、折返板３１を起立板２１ｅの前面側に折り返して、左右の差込片３４、３４を起立板２１ｅに形成された左右一対の切目２５ｅ、２５ｅに差し込むと、物品包装体１Ｅが出来上がる。
【００４６】
また、上述した物品包装体１では、起立板２１の下部から脚部２０Ａが後方側に張り出した台紙２０を使用しているが、これに限定されるものではなく、物品１０（カップ状容器１１）の胴部１２がある程度の高さを有する場合は、例えば、図２０（ａ）〜（ｃ）に示す物品包装体１Ｆのように、脚部構成板２２、係止片２３及び差込片２４を削除し、吊下孔２６及び嵌合穴２７だけが形成された起立板２１ｆのみからなる台紙２０を使用し、カップ状容器１１の胴部１２を起立板２１ｆの嵌合穴２７に嵌合させた物品１０の胴部１２の下端を載置面に当接させることによって、起立板２１を後傾状態に支持することも可能であり、この場合は、起立板２１ｆの下端縁が脚部として機能することになる。
【００４７】
また、上述した物品包装体１Ｆは、物品１０（カップ状容器１１）のフランジ部１３を係止する係止部を有していないが、図２２に示すブランクＢｇから組み立てられる図２１（ａ）〜（ｃ）に示す物品包装体１Ｇのように、嵌合穴２７の両側部外側に上下方向に延びる左右一対の切目３５、３５を形成しておくと、胴部１２を起立板２１ｇの嵌合穴２７に嵌合させることによって起立板２１ｇに保持した物品１０（カップ状容器１１）のフランジ部１３を左右の切目３５、３５にそれぞれ差し込むことによって、フランジ部１３を係止させることも可能である。
【００４８】
また、上述した物品包装体１Ｆでは、物品１０（カップ状容器１１）の胴部１２の略最大外径と同一の穴径を有する嵌合穴２７を形成しているが、これに限定されるものではなく、例えば、図２４に示すブランクＢｈから組み立てられる図２３（ａ）〜（ｃ）に示す物品包装体１Ｈのように、起立板２１ｈには、物品１０（カップ状容器１１）の胴部１２の略最大外径より一回り小さい嵌合穴２７ｈを形成すると共に、その嵌合穴２７ｈの周縁に多数の放射状の切目３６を形成しておくと、カップ状容器１１の胴部１２を起立板２１ｇの嵌合穴２７ｈに嵌合させる際、切目３６に挟まれた部分が、起立板２１ｈの後面側に押し広げられて胴部１２の外周面に押し付けられるので、物品１０の保持力が増大する。
【００４９】
さらに、図２６に示すブランクＢｉから組み立てられる図２５（ａ）〜（ｃ）に示す物品包装体１Ｉのように、起立板２１ｉには、物品１０（カップ状容器１１）の胴部１２の略最大外径より一回り小さい嵌合穴２７ｉを形成し、その嵌合穴２７ｉの周縁に多数の放射状の切目３６を形成すると共に、隣り合う複数組（この場合３組）の切目３７、３７を長くしておくと、カップ状容器１１の胴部１２を起立板２１ｉの嵌合穴２７ｉに嵌合させる際、長い切目３７、３７で挟まれた部分を起立板２１ｉの前面側に起こして物品１０の上面（前面）に重ね合わせることによって、フランジ部１３を係止させることも可能であり、これによって、台紙２０に対する物品１０の保持安定性がさらに向上する。
【００５０】
また、上述した物品包装体１では、カップ状容器１１の胴部１２を起立板２１の嵌合穴２７に嵌合させることによって物品１０を起立板２１に保持しているが、これに限定されるものではなく、例えば、図２７（ａ）〜（ｃ）に示す物品包装体１Ｊのように、吊下孔２６及びカップ状容器１１のフランジ部１３より小径の円形穴３８だけが形成された起立板２１ｊの下端縁に、折目線を介して、後方側に張り出す脚部底面板２２ａを連設した台紙２０を使用し、物品１０の上面（主表示面）が円形穴３８を覆うように、物品１０の上面（主表示面）の周縁部を起立板２１ｊの後面に、カップ状容器１１の胴部１２の下端部を脚部底面板２２ａに両面粘着テープまたは接着剤を用いてそれぞれ剥離可能に貼着するようにしてもよい。
【００５１】
また、図２８（ａ）〜（ｃ）に示す物品包装体１Ｋのように、吊下孔２６及び物品１０の上面（主表示面）より小径の複数の円形穴３８だけが形成された起立板２１ｋの下端縁に、後方側に張り出す脚部底面板２２ａ及び脚部底面板２２ａの後端縁から立ち上がる脚部後面板２２ｂを、折目線を介して順次連設した台紙２０を使用し、物品１０の上面（主表示面）の一部が円形穴３８から視認できるように、物品１０の上面（主表示面）を起立板２１ｋの後面に両面粘着テープまたは接着剤を用いて剥離可能に貼着すると共に、カップ状容器１１の胴部１２の下端部を脚部後面板２２ｂの上端縁に形成された円弧状の切欠部３９に嵌め込んで、両面粘着テープまたは接着剤を用いて剥離可能に貼着するようにしてもよい。
【００５２】
また、上述した物品包装体１Ｊでは、吊下孔２６及び円形穴３８が形成された起立板２１ｊの下端縁に、折目線を介して、後方側に張り出す脚部底面板２２ａを連設した台紙２０を使用しているが、例えば、図２９（ａ）〜（ｃ）に示す物品包装体１Ｌのように、起立板２１ｊと同様の起立板２１ｌの下端縁に、後方側に張り出す脚部底面板２２ａ、脚部底面板２２ａの後端縁から立ち上がる脚部後面板２２ｂ及び脚部後面板２２ｂから起立板２１ｌの下端縁に至る脚部傾斜板２２ｄを、折目線を介して順次連設した台紙２０を使用し、物品１０の上面（主表示面）を、起立板２１ｌの後面に両面粘着テープまたは接着剤を用いて剥離可能に貼着すると共に、カップ状容器１１の胴部１２の下端部を脚部後面板２２ｂ及び脚部傾斜板２２ｄの上端縁に形成された円弧状の切欠部３９（脚部傾斜板２２ｄに形成された切欠部については図示していない。）に嵌め込んで、両面粘着テープまたは接着剤を用いて剥離可能に貼着するようにしてもよい。
【００５３】
また、上述した各実施形態では、吊下孔２６、３２が形成された台紙２０を使用しているが、これに限定されるものではなく、吊り下げて陳列しない場合は、必ずしも吊下孔を形成しておく必要はない。
【００５４】
また、上述した各実施形態では、フランジ部１３を有するカップ状の物品１０についての物品包装体１〜１Ｌについて説明したが、これに限定されるものではなく、種々の形状の物品について適用することができることは言うまでもない。
【産業上の利用可能性】
【００５５】
本発明の物品包装体は、物品を陳列する際に利用することができる。
【符号の説明】
【００５６】
１、１Ａ、１Ｂ、１Ｃ、１Ｄ、１Ｅ、１Ｆ、１Ｇ、１Ｈ、１Ｉ、１Ｊ、１Ｋ、１Ｌ  物品包装体
１０  物品
１１  カップ状容器
１２  胴部
１３  フランジ部
１４  フィルム
２０  台紙
２０Ａ  脚部
２１、２１ａ、２１ｅ、２１ｆ、２１ｇ、２１ｈ、２１ｉ、２１ｊ、２１ｋ、２１ｌ  起立板
２２  脚部構成板
２２ａ  脚部底面板
２２ｂ  脚部後面板
２２ｃ  脚部上面板
２２ｄ  脚部傾斜板
２３、２３ａ、２３ｂ、２３ｃ、２３ｄ  係止片
２３ｅ  貼着片
２４  差込片
２５、２５ａ、２５ｂ、２５ｅ  切目
２６  吊下孔
２７、２７ｈ、２７ｉ  嵌合穴
２８  スリット
２９  切欠部
３０  スリット
３１  折返板
３２  吊下孔
３３  切欠部
３４  差込片
３５、３６、３７  切目
３８  円形穴
３９  切欠部
Ｂ、Ｂａ、Ｂｂ、Ｂｃ、Ｂｄ、Ｂｅ、Ｂｇ、Ｂｈ、Ｂｉ  ブランク
Ｌ１、Ｌ２、Ｌ３、Ｌ４、Ｌ５、Ｌ６  折目線
【図１】
2014061931.tif 000003
【図２】
2014061931.tif 000004
【図３】
2014061931.tif 000005
【図４】
2014061931.tif 000006
【図５】
2014061931.tif 000007
【図６】
2014061931.tif 000008
【図７】
2014061931.tif 000009
【図８】
2014061931.tif 000010
【図９】
2014061931.tif 000011
【図１０】
2014061931.tif 000012
【図１１】
2014061931.tif 000013
【図１２】
2014061931.tif 000014
【図１３】
2014061931.tif 000015
【図１４】
2014061931.tif 000016
【図１５】
2014061931.tif 000017
【図１６】
2014061931.tif 000018
【図１７】
2014061931.tif 000019
【図１８】
2014061931.tif 000020
【図１９】
2014061931.tif 000021
【図２０】
2014061931.tif 000022
【図２１】
2014061931.tif 000023
【図２２】
2014061931.tif 000024
【図２３】
2014061931.tif 000025
【図２４】
2014061931.tif 000026
【図２５】
2014061931.tif 000027
【図２６】
2014061931.tif 000028
【図２７】
2014061931.tif 000029
【図２８】
2014061931.tif 000030
【図２９】
2014061931.tif 000031
【図３０】
2014061931.tif 000032